【手続補正書】
【提出日】平成20年3月19日(2008.3.19)
【手続補正１】
【補正対象書類名】明細書
【補正対象項目名】発明の名称
【補正方法】変更
【補正の内容】
【発明の名称】プリンタ用消耗材収納容器並びに該容器の組み立て方法および再生方法
【手続補正２】
【補正対象書類名】明細書
【補正対象項目名】特許請求の範囲
【補正方法】変更
【補正の内容】
【特許請求の範囲】
【請求項１】  インクを吐出するインクジェットヘッドを用いてプリント媒体に対しプリントを行うプリンタに装着可能で、該プリンタに供給すべきプリント媒体を収納するためのプリンタ用消耗材収納容器であって、
前記収納するプリント媒体が重なるよう配置されるとともに、前記装着時において前記プリンタ側に設けられたプリント媒体送給手段の前記プリント媒体への当接を受容するための開放部分を有したシート状部材を具えたことを特徴とするプリンタ用消耗材収納容器。
【請求項２】  前記シート状部材は、前記プリント媒体送給手段の作動に伴って前記プリント媒体を前記プリンタに向けて円滑に供給するもので、摩擦係数の低い材料、あるいは摩擦係数を低くするための加工が施された材料でなることを特徴とする請求項１に記載のプリンタ用消耗剤収納容器。
【請求項３】  前記収納している前記プリント媒体を前記シート状部材とともに挟むように配置され、前記プリント媒体送給手段の側に向かう押圧力を作用するための部材をさらに具えたことを特徴とする請求項１に記載のプリンタ用消耗材収納容器。
【請求項４】  前記装着時において前記プリンタより排出されるインクを導入するための導入部および当該導入されたインクを保持する保持部を具え、前記シート状部材によって前記導入部および前記保持部から前記プリント媒体の収納部分が隔離されることを特徴とする請求項１または請求項２に記載のプリンタ用消耗材収納容器。
【請求項５】  前記導入部および前記保持部を収容するための容器筐体の第１半体であって、前記シート状部材の前記開放部分に対応して前記プリント媒体送給手段の進入を受容するための開口部を有した当該第１半体と、前記プリント媒体を収容するための容器筐体の第２半体とを具備し、前記第１および第２半体の一方に設けられた掛合部と他方に設けられた被掛合部との結合によって接合されてなることを特徴とする請求項３に記載のプリンタ用消耗材収納容器。
【請求項６】  前記掛合部および前記被掛合部との結合に加え、前記第１および第２半体間の粘着シールの部分的貼着により接合されてなることを特徴とする請求項５に記載のプリンタ用消耗材収納容器。
【請求項７】  前記インクジェットヘッドに供給すべきインクを収納するインク収納部および前記装着時において前記収納されたインクを前記プリンタに供給可能なインク供給接続部をさらに具え、前記インク収納部および前記インク供給接続部が前記第１半体に収容されていることを特徴とする請求項５または請求項６に記載のプリンタ用消耗材収納容器。
【請求項８】  請求項７に記載のプリンタ用消耗材収納容器の組み立て方法であって、
前記第１半体に前記導入部、前記保持部、前記インク収納部および前記インク供給接続部を収納し、
前記シート状部材を配置し、
該シート状部材にプリント媒体を重畳させ、
前記第２半体を前記第１半体に接合する
ことを特徴とするプリンタ用消耗材収納容器の組み立て方法。
【請求項９】  前記容器筐体第１半体と前記容器筐体第２半体との間の収容物の少なくとも一つの交換または補充を行うことにより、請求項４ないし請求項７のいずれかに記載のプリンタ用消耗材収納容器を再生する方法。
【請求項１０】  請求項７に記載のプリンタ用消耗材収納容器の再生方法であって、
前記交換または補充を行うために前記第１半体および前記第２半体を分離し、
前記交換または補充後に前記第１半体および前記第２半体を接合する
ことを特徴とする請求項９に記載のプリンタ用消耗材収納容器再生方法。
【請求項１１】  前記プリンタ用消耗材収納容器は、さらに前記ヘッドに供給されるインクが収納されたインク容器と、前記ヘッドから排出された廃インクを回収する廃インク吸収体とを収納しており、
前記プリンタ用消耗材収納容器は外筐体を構成する第１、第２筐体を具え、内部には、廃インク吸収体、第１シート状部材、プリント媒体、第２シート状部材、該第２シート状部材側から前記第２シート状部材側に向かう押圧力を発揮可能な弾性部材がこの順に重ねられて収納されていることを特徴とする請求項１に記載のプリンタ用消耗材収納容器。
【請求項１２】  前記インク容器は、前記廃インク吸収体側に配されることを特徴とする請求項１１に記載のプリンタ用消耗材収納容器。
【請求項１３】  前記プリンタ用消耗材収納容器は、
前記装着時において前記プリンタ側に設けられたプリント媒体送給手段の結合を受容するための開口を有する第１の受容部と、
収納するプリント媒体を挟んで前記受容部と対向する部位に配置され、前記装着時において前記プリント媒体送給手段に向けて前記プリント媒体に付勢力を作用するためのプリント媒体付勢手段の結合を受容するための開口を有する第２の受容部と、
を具えたことを特徴とする請求項１に記載のプリンタ用消耗材収納容器。
【請求項１４】  前記第２の受容部によって受容される前記プリント媒体付勢手段の前記付勢力の作用部は前記プリント媒体送給手段よりサイズが小であり、前記第２の受容部が有する前記開口のサイズを前記第１の受容部が有する前記開口のサイズより小としたことを特徴とする請求項１３に記載のプリンタ用消耗材収納容器。
【請求項１５】  前記装着に応じて前記第１の受容部が有する前記開口を開放することにより前記プリント媒体送給手段の結合を受容するための開閉部材をさらに具えたことを特徴とする請求項１３または請求項１４に記載のプリンタ用消耗材収納容器。
【請求項１６】  前記プリント媒体付勢手段が作用する前記付勢力は前記送給を行うために前記プリント媒体送給手段が前記プリント媒体に当接する作用力より大であることを特徴とする請求項１３ないし請求項１５のいずれかに記載のプリンタ用消耗材収納容器。
【請求項１７】  さらに前記インクジェットヘッドに供給すべきインクを収納するとともに、前記装着時において前記収納されたインクを前記プリンタに供給可能なインク供給接続部を具えたことを特徴とする請求項１３ないし請求項１６のいずれかに記載のプリンタ用消耗材収納容器。
【手続補正３】
【補正対象書類名】明細書
【補正対象項目名】０００１
【補正方法】変更
【補正の内容】
【０００１】
【発明の属する技術分野】
本発明は、プリンタ用消耗材収納容器、その容器の組み立て方法および再生方法に関するものである。
【手続補正４】
【補正対象書類名】明細書
【補正対象項目名】０００４
【補正方法】変更
【補正の内容】
【０００４】
本発明の目的は、インクを用いるプリンタ用として好適なプリンタ用消耗材収納容器、その容器の組み立て方法および再生方法を提供することにある。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】変更
【補正の内容】
【００２３】
【課題を解決するための手段】
そのために、本発明は、インクを吐出するインクジェットヘッドを用いてプリント媒体に対しプリントを行うプリンタに装着可能で、該プリンタに供給すべきプリント媒体を収納するためのプリンタ用消耗材収納容器であって、
前記収納するプリント媒体が重なるよう配置されるとともに、前記装着時において前記プリンタ側に設けられたプリント媒体送給手段の前記プリント媒体への当接を受容するための開放部分を有したシート状部材を具えたことを特徴とする。
【手続補正２４】
【補正対象書類名】明細書
【補正対象項目名】００３３
【補正方法】変更
【補正の内容】
【００３３】
さらに加えて、上記プリンタ用消耗材収納容器において、さらに前記ヘッドに供給されるインクが収納されたインク容器と、前記ヘッドから排出された廃インクを回収する廃インク吸収体とを収納しており、
前記プリンタ用消耗材収納容器は外筐体を構成する第１、第２筐体を具え、内部には、廃インク吸収体、第１シート状部材、プリント媒体、第２シート状部材、該第２シート状部材側から前記第２シート状部材側に向かう押圧力を発揮可能な弾性部材がこの順に重ねられて収納されているものとすることができる。
【手続補正２５】
【補正対象書類名】明細書
【補正対象項目名】００３５
【補正方法】変更
【補正の内容】
【００３５】
また、前記プリンタ用消耗材収納容器は、
前記装着時において前記プリンタ側に設けられたプリント媒体送給手段の結合を受容するための開口を有する第１の受容部と、
収納するプリント媒体を挟んで前記受容部と対向する部位に配置され、前記装着時において前記プリント媒体送給手段に向けて前記プリント媒体に付勢力を作用するためのプリント媒体付勢手段の結合を受容するための開口を有する第２の受容部と、
を具えたものとすることができる。
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】削除
【補正の内容】
【手続補正４０】
【補正対象書類名】明細書
【補正対象項目名】００５４
【補正方法】削除
【補正の内容】
【手続補正４１】
【補正対象書類名】明細書
【補正対象項目名】００５５
【補正方法】削除
【補正の内容】
【手続補正４２】
【補正対象書類名】明細書
【補正対象項目名】００５６
【補正方法】削除
【補正の内容】
【手続補正４３】
【補正対象書類名】明細書
【補正対象項目名】００５７
【補正方法】削除
【補正の内容】
【手続補正４４】
【補正対象書類名】明細書
【補正対象項目名】００５８
【補正方法】削除
【補正の内容】
【手続補正４５】
【補正対象書類名】明細書
【補正対象項目名】００５９
【補正方法】削除
【補正の内容】
【手続補正４６】
【補正対象書類名】明細書
【補正対象項目名】０２５４
【補正方法】変更
【補正の内容】
【０２５４】
以上説明した実施形態によれば、プリンタの消耗材を収容する容器に、プリンタから排出されるインクを導入するための導入部を複数備えたことにより、プリンタの種々の部位から排出されるインクを、その排出量や排出形態などに応じて適確に導入して受容することができる。
【発明の効果】
本発明によれば、プリンタの消耗材を収容する容器に、プリント媒体を円滑に供給するためのシート状部材を備えることにより、プリント媒体をプリンタに確実に供給することができる。